(57)【特許請求の範囲】
【請求項１】
回転羽根を収容するポンプ本体と、前記回転羽根を駆動するモールドモータと、前記ポンプ本体の上部に固着されて前記モールドモータを支持する受け部材と、前記受け部材の上部に固着されて前記受け部材との間に前記モールドモータの収容室を形成するカバーとを備えた排水ポンプであって、
前記受け部材は、前記ポンプ本体の上部の開口部を覆う蓋部を一体的に備えるとともに上面が開口した筒状のモータ支持部を有しており、
前記モータ支持部は、前記モールドモータのモータ本体の下面を支持するとともに前記モータ本体の外周面に近接する本体支持部と、前記モールドモータの下軸受を支持する軸受支持部と、を有しており、
前記モータ支持部と前記蓋部とは、前記モールドモータの出力軸の両側位置で起立する平板状の支柱により連結されていることを特徴とする排水ポンプ。
【請求項２】
前記平板状の支柱は、前記モールドモータの出力軸の両側位置で外側支柱と内側支柱とが対をなすように構成されていることを特徴とする請求項１記載の排水ポンプ。
【請求項３】
前記カバーを前記受け部材にスナップフィット形式によって固着する取付具を備えることを特徴とする請求項１又は２記載の排水ポンプ。
【請求項４】
前記カバーは、前記受け部材に固着された状態で前記モールドモータを下方に押圧する押え部を備えることを特徴とする請求項１乃至３のいずれか１項記載の排水ポンプ。
【発明の詳細な説明】
【技術分野】
【０００１】
本発明は、エアコン室内機に装備されてドレン水を排出する排水ポンプに関する。
【背景技術】
【０００２】
パッケージエアコン等の天井埋め込み型エアコンの室内機においては、冷媒がエバポレータで凝縮する際に生じるドレン水をドレンパンに貯留し、このドレン水を排水ポンプで吸い上げて室外へ向けて送り出している。
【０００３】
下記の特許文献１は、ポンプの回転羽根の駆動源をモールドモータで構成した排水ポンプを開示している。
この排水ポンプは、回転羽根を回転自在に収容するポンプ本体と、回転羽根を駆動するモールドモータと、ポンプ本体の上部に固着されてモールドモータを支持する受け部材と、受け部材の上部に固着されて受け部材との間にモールドモータの収容室を形成するカバーとを備えている。
モールドモータは、ステータ、回路基板等が絶縁樹脂でモールド封止されるために、滴下水等に対して耐水効果を発揮することができる。
【先行技術文献】
【特許文献】
【０００４】
【特許文献１】特開２０１０−２７５９７２号公報
【発明の概要】
【発明が解決しようとする課題】
【０００５】
上述した公報に開示された排水ポンプにあっては、モールドモータは、受け部材と、これにスナップフィットで結合されるカバーとによって形成される収容室内に収容され、モールドモータの駆動軸がポンプ本体内の回転羽根の連結軸に設けた穴に圧入されて回転羽根を支持する構成となっている。
【０００６】
上述した構造にあっては、モールドモータを収容する収容室の内側面とモールドモータの外周面との間に僅かなクリアランスが存在する。これにより、排水ポンプの運転中にモールドモータが受け部材に対して径方向に移動して回転羽根がポンプ本体に対して偏心するため、回転羽根の周囲に形成される隙間の大きさが不均一になり、水かき音や振動の増加原因となる。
そこで本発明の目的は、上述した不都合を解消する排水ポンプを提供することにある。
【課題を解決するための手段】
【０００７】
上記目的を達成するために、本発明の排水ポンプは、回転羽根を収容するポンプ本体と、回転羽根を駆動するモールドモータと、ポンプ本体の上部に固着されてモールドモータを支持する受け部材と、受け部材の上部に固着されて受け部材との間にモールドモータの収容室を形成するカバーとを備えた排水ポンプであって、受け部材は、ポンプ本体の上部の開口部を覆う蓋部を一体的に備えるとともに上面が開口した筒状のモータ支持部を有しており、モータ支持部は、モールドモータのモータ本体の下面を支持するとともにモータ本体の外周面に近接する本体支持部と、前記モールドモータの下軸受を支持する軸受支持部と、を有しており、モータ支持部と蓋部とは、モールドモータの出力軸の両側位置で起立する平板状の支柱により連結されているものである。
【０００８】
本発明の排水ポンプにおいて、前記平板状の支柱は、前記モールドモータの出力軸の両側位置で外側支柱と内側支柱とが対をなすように構成されていてもよい。
そして、カバーを受け部材にスナップフィット形式で固着する取付具を備えるものとすることができる。
また、カバーが、受け部材に固着された状態でモールドモータを下方に押圧する押え部を備えるようにすることが好ましい。
【発明の効果】
【０００９】
本発明の排水ポンプは、受け部材に形成した筒状の軸受支持部にモールドモータの下軸受を圧入してモータを支持するので、排水ポンプ運転中にモールドモータが受け部材に対して径方向に移動することがない。したがって、回転羽根のポンプ本体に対する偏心量が小さくなり、水かき音と振動の低減を図ることができる。
【図面の簡単な説明】
【００１０】
【図１】本発明の排水ポンプの正面図。
【図２】本発明の排水ポンプの縦断面図。
【図３】図１のＡ−Ａ断面図。
【図４】図１のＢ−Ｂ断面図。
【図５】モールドモータの部品図。
【発明を実施するための形態】
【００１１】
図１に示すように、排水ポンプ１はポンプ本体１０を備え、ポンプ本体１０は、吸込口１２，ポンプ室１４及び吐出口１６を有する。ポンプ室１４内には回転羽根３０が装備され、回転羽根３０は、取付軸３２，小径羽根３４及び大径羽根（図示せず）を有する。
ポンプ本体１０は合成樹脂で構成され、上方に突出する２個の取付脚２０を有し、この取付脚２０に対して受け部材５０がスナップフィット形式で固着される。
【００１２】
受け部材５０は合成樹脂で形成され、ポンプ本体１０の上面の開口部を覆う蓋部５２を有する。蓋部５２の中央に設けた貫通穴５４に回転羽根３０の取付軸３２が挿入され、ポンプ本体１０と受け部材５０の間にはＯリング４０が嵌装される。また、蓋部５２には２個の凸部５６が形成されており、これらは受け部材５０を取付脚２０にスナップフィットする際に利用される。
【００１３】
受け部材５０の上部にはモータ支持部７０が設けられている。モータ支持部７０は上端に本体支持部７２を有し、本体支持部７２と蓋部５２は一対の外側支柱６０と一対の内側支柱６２とにより連結される。モータ支持部７０にはモールドモータ１００が支持される。
【００１４】
図５はモールドモータ１００の部品構成を示す。モールドモータ１００はモータコアなどを樹脂でモールドしたモータ本体１１０と、出力軸１４０を回転自在に支持する上軸受１２０及び下軸受１３０を備える。上軸受１２０は、フレーム１２２とフレーム１２２内に装備される軸受本体１２３を有する。下軸受１３０も、同様に、フレーム１３２とフレーム１３２内に装備される軸受本体１３３を有する。
【００１５】
本体支持部７２は有底筒状に形成され、モータ本体１１０の下面を支持するとともにモータ本体１１０の外周面に近接する。本体支持部７２の底部７６の中央部には円筒状の軸受支持部７４が形成される。モールドモータ１００の下軸受１３０はこの軸受支持部７４に圧入される。
【００１６】
モールドモータ１００の出力軸１４０は、回転羽根３０の取付軸３２の中心部に設けた有底の穴に挿入され、出力軸１４０と取付軸３２の間には水切板４２が取り付けられる。
【００１７】
モータ支持部７０の上部には有蓋円筒状のカバー８０が覆せられ、スナップフィット形式の取付具９０により受け部材５０に固着される。カバー８０は合成樹脂で形成されており、排水ポンプ１を室内ユニットに取り付けるための取付部８２を有する。取付部８２は取り付け用の貫通穴を有し、この貫通穴を介してビス等により室内ユニットに固着される。カバー８０の中央部には上軸受収容部８４が形成されている。また、カバー８０の頂壁内面に形成される押え部８６は、カバー８０が受け部材５０に固着された状態でモールドモータ１００の上面を押圧してモールドモータ１００を本体支持部７２の底部に圧接するので、振動を抑制することができる。
【００１８】
本発明の排水ポンプは、受け部材５０の軸受支持部７４にモールドモータ１００の下軸受１３０を圧入することにより、モールドモータ１００が受け部材５０に対して径方向に移動するのを防ぐことができる。これによって、回転羽根３０とポンプ本体１０との同軸性が向上して回転羽根３０の周囲に形成される隙間の大きさが均一になるので、モールドモータ１００や回転羽根３０の振動が低減し、また回転羽根３０の水かき音も低減する。
【符号の説明】
【００１９】
１  排水ポンプ
１０  ポンプ本体
１２  吸込口
１４  ポンプ室
１６  吐出口
２０  取付脚
３０  回転羽根
３２  取付軸
３４  小径羽根
４０  Ｏリング
４２  水切板
５０  受け部材
５２  蓋部
５４  貫通穴
５６  凸部
６０  外側支柱
６２  内側支柱
７０  モータ支持部
７２  本体支持部
７４  軸受支持部
７６  底部
８０  カバー
８２  取付部
８４  上軸受収容部
８６  押え部
９０  取付具
１００  モールドモータ
１１０  モータ本体
１２０  上軸受
１２２  フレーム
１３０  下軸受
１３２  フレーム
１４０  出力軸
【図１】
0005999942.tif 000002
【図２】
0005999942.tif 000003
【図３】
0005999942.tif 000004
【図４】
0005999942.tif 000005
【図５】
0005999942.tif 000006